(57)【特許請求の範囲】
【請求項１】
表示装置であって、
表示パネルと、バックライトモジュールと、リールとを含み、
前記バックライトモジュールは、前記表示パネルに対向して配置され、光透過領域と、発光領域と、周縁領域と、第１輝度向上フィルムと、を含み、
前記周縁領域は、前記光透過領域と前記発光領域との間に介在し、
前記光透過領域は、第１方向に延在する第１エッジと、前記第１方向とは異なる第２方向に延在する第２エッジとを含み、前記第１エッジが前記第２エッジに接続され、
前記第１輝度向上フィルムは、前記第１方向に沿って配列される複数の第１微細構造を含み、前記周縁領域を通過するとともに前記第１エッジに接続されていない複数の前記第１微細構造の集光効率が、前記発光領域のみを通過する複数の前記第１微細構造の集光効率より低く、
前記リールは、前記光透過領域に対向して配置され、
前記表示パネル及び前記リールは、それぞれ、前記バックライトモジュールの両側に対向して配置されることを特徴とする表示装置。
【請求項２】
前記第１エッジは、第１中央部分と、第１側縁部分とを含み、
前記第１側縁部分は、前記第１中央部分と前記第２エッジとの間に位置し、
前記第１中央部分に接続される複数の前記第１微細構造の集光効率が前記発光領域のみを通過する複数の前記第１微細構造の集光効率に実質的に等しいことを特徴とする請求項１に記載の表示装置。
【請求項３】
前記周縁領域を通過する複数の前記第１微細構造の集光効率が、前記第１方向において前記周縁領域の外側から前記光透過領域の前記第２エッジに向かって徐々に小さくなることを特徴とする請求項２に記載の表示装置。
【請求項４】
前記第１側縁部分に接続される複数の前記第１微細構造の集光効率が、前記第１方向において前記第１中央部分に向かって徐々に大きくなることを特徴とする請求項３に記載の表示装置。
【請求項５】
前記バックライトモジュールは、前記第１輝度向上フィルムに対向して配置され、複数の第２微細構造を有する第２輝度向上フィルムをさらに含み、
複数の前記第２微細構造は、前記第２方向に沿って配列され、
前記周縁領域を通過するとともに前記第２エッジに接続されていない複数の前記第２微細構造の集光効率が、前記発光領域のみを通過する複数の前記第２微細構造の集光効率より小さいことを特徴とする請求項１に記載の表示装置。
【請求項６】
前記第２エッジは、第２中央部分と、第２側縁部分とを含み、
前記第２側縁部分は、前記第２中央部分と前記第１エッジとの間に位置し、
前記第２中央部分に接続される複数の前記第２微細構造の集光効率が前記発光領域のみを通過する複数の前記第２微細構造の集光効率に実質的に等しいことを特徴とする請求項５に記載の表示装置。
【請求項７】
前記周縁領域を通過する複数の前記第２微細構造の集光効率が、前記第２方向において前記周縁領域の外側から前記光透過領域の前記第１エッジに向かって徐々に小さくなることを特徴とする請求項６に記載の表示装置。
【請求項８】
前記第２側縁部分に接続される複数の前記第２微細構造の集光効率が、前記第２方向において前記第２中央部分に向かって徐々に大きくなることを特徴とする請求項７に記載の表示装置。
【請求項９】
複数の前記第１微細構造及び複数の前記第２微細構造は、それぞれ、複数のプリズム柱であり、前記周縁領域を通過する複数の前記第１微細構造は、前記第１方向において前記周縁領域の外側から前記光透過領域の前記第２エッジに向かってその大きさが徐々に小さくなり、
前記周縁領域を通過する複数の前記第２微細構造は、前記第２方向において前記周縁領域の外側から前記光透過領域の前記第１エッジに向かってその大きさが徐々に小さくなることを特徴とする請求項５に記載の表示装置。
【請求項１０】
前記周縁領域を通過する複数の前記第１微細構造は、前記第１方向において前記周縁領域の外側から前記光透過領域の前記第２エッジに向かってその高さが徐々に低くなり、
前記周縁領域を通過する複数の前記第１微細構造の前記光透過領域に近い斜面は、前記第１方向において前記周縁領域の外側から前記光透過領域の前記第２エッジに向かってその傾斜角が徐々に小さくなり、
前記周縁領域を通過する複数の前記第２微細構造は、前記第２方向において前記周縁領域の外側から前記光透過領域の前記第１エッジに向かって高さが徐々に低くなり、
前記周縁領域を通過する複数の前記第２微細構造の前記光透過領域に近い斜面は、前記第２方向において前記周縁領域の外側から前記光透過領域の前記第１エッジに向かって傾斜角が徐々に小さくなることを特徴とする請求項９に記載の表示装置。
【請求項１１】
複数の前記第１微細構造及び複数の前記第２微細構造は、それぞれ、複数のプリズム柱であり、
前記周縁領域を通過する複数の前記第１微細構造の高さが実質的に同一で、前記周縁領域を通過する複数の前記第１微細構造の前記光透過領域に近い斜面は、前記第１方向において前記周縁領域の外側から前記光透過領域の前記第２エッジに向かって傾斜角が徐々に小さくなり、
前記周縁領域を通過する複数の前記第１微細構造の高さが実質的に同一で、前記周縁領域を通過する複数の前記第２微細構造の前記光透過領域に近い斜面は、前記第２方向において前記周縁領域の外側から前記光透過領域の前記第１エッジに向かって傾斜角が徐々に小さくなることを特徴とする請求項５に記載の表示装置。
【請求項１２】
複数の前記第１微細構造及び複数の前記第２微細構造は、それぞれ、複数のプリズム柱であり、
前記周縁領域を通過する複数の前記第１微細構造は、前記第１方向において前記周縁領域の外側から前記第２エッジに向かってその配置密度が徐々に小さくなり、
前記周縁領域を通過する複数の前記第２微細構造は、前記第２方向において前記周縁領域の外側から前記第１エッジに向かってその配置密度が徐々に小さくなることを特徴とする請求項５に記載の表示装置。
【請求項１３】
前記発光領域のみを通過する複数の前記第１微細構造、及び前記発光領域のみを通過する複数の前記第２微細構造は、それぞれ、複数のプリズム柱であり、
前記周縁領域を通過するとともに前記第１エッジに接続されていない複数の前記第１微細構造、及び前記周縁領域を通過するとともに前記第２エッジに接続されていない複数の前記第２微細構造は、第１丸角部を有する複数の第１ピークを有することを特徴とする請求項５に記載の表示装置。
【請求項１４】
複数の前記第１微細構造の複数の前記第１丸角部は、前記第１方向において前記周縁領域の外側から前記第２エッジに向かってその曲率半径が徐々に大きくなり、
複数の前記第２微細構造の複数の前記第１丸角部は、前記第２方向において前記周縁領域の外側から前記第１エッジに向かってその曲率半径が徐々に大きくなることを特徴とする請求項１３に記載の表示装置。
【請求項１５】
前記第１エッジは、第１中央部分と第１側縁部分とを含み、
前記第１側縁部分は、前記第１中央部分と前記第２エッジとの間に位置し、
前記第２エッジは、第２中央部分と第２側縁部分とを含み、
前記第２側縁部分は、前記第２中央部分と前記第１エッジとの間に位置し、
前記第１側縁部分に接続される複数の前記第１微細構造及び前記第２側縁部分に接続される複数の前記第２微細構造は、それぞれ、第２丸角部を有する複数の第２ピークを有し、
複数の前記第１微細構造の複数の前記第２丸角部は、前記第１方向において前記第１中央部分に向かってその曲率半径が徐々に小さくなり、
複数の前記第２微細構造の複数の前記第２丸角部は、前記第２方向において前記第２中央部分に向かってその曲率半径が徐々に小さくなることを特徴とする請求項１４に記載の表示装置。
【請求項１６】
複数の前記第１丸角部を有する複数の前記第１微細構造は、前記第１方向において前記周縁領域の外側から前記光透過領域の前記第２エッジに向かって比例的に小さくなり、
複数の前記第１丸角部を有する複数の前記第２微細構造は、前記第２方向において前記周縁領域の外側から前記光透過領域の前記第１エッジに向かって比例的に小さくなることを特徴とする請求項１３に記載の表示装置。
【請求項１７】
前記第１エッジは、第１中央部分と第１側縁部分とを含み、
前記第１側縁部分は、前記第１中央部分と前記第２エッジとの間に位置し、
前記第２エッジは、第２中央部分と第２側縁部分とを含み、
前記第２側縁部分は、前記第２中央部分と前記第１エッジとの間に位置し、
前記第１側縁部分に接続される複数の前記第１微細構造及び前記第２側縁部分に接続される複数の前記第２微細構造は、それぞれ、第２丸角部を有する複数の第２ピークを有し、
複数の前記第２丸角部を有する複数の前記第１微細構造は、前記第１方向において前記第１中央部分に向かってその大きさが比例的に大きくなり、
複数の前記第２丸角部を有する複数の前記第２微細構造は、前記第２方向において前記第２中央部分に向かってその大きさが比例的に大きくなることを特徴とする請求項１６に記載の表示装置。
【請求項１８】
前記光透過領域は、開口であることを特徴とする請求項１に記載の表示装置。
【請求項１９】
前記バックライトモジュールは、第１光源と導光板とを含み、
前記第１光源は、前記導光板の側面に位置し、
前記第１輝度向上フィルムは、前記導光板と前記表示パネルとの間に位置することを特徴とする請求項１に記載の表示装置。
【請求項２０】
前記リールに光を提供する第２光源をさらに含むことを特徴とする請求項１９に記載の表示装置。
【請求項２１】
第１表示モードにおいて前記第１光源をオンにして前記第２光源をオフにし、
第２表示モードにおいて前記第１光源及び前記第２光源をオンにするように制御する制御ユニットをさらに含むことを特徴とする請求項２０に記載の表示装置。
【請求項２２】
前記表示パネルと前記リールとの間に位置し、前記第１表示モードにおいて、前記リールを遮蔽するように回折状態に切り替えられるスイッチパネルをさらに含むことを特徴とする請求項２１に記載の表示装置。
【請求項２３】
前記スイッチパネルは、前記バックライトモジュールの前記光透過領域と前記リールとの間に位置し、前記スイッチパネルの大きさが少なくとも前記光透過領域の面積よりも大きいことを特徴とする請求項２２に記載の表示装置。
【発明の詳細な説明】
【技術分野】
【０００１】
本発明は、表示装置に関し、特に、輝度向上フィルムを有する表示装置に関する。
【背景技術】
【０００２】
一般的に、現在のスロットマシン（ｓｌｏｔ  ｍａｃｈｉｎｅ）の表示装置は、画面おいて連続スクロールする図柄の立体感を向上させるために、実物のリールを配置している。ユーザは、表示装置を見たとき、そのリールの回転によってリールの図柄が２次元動画演出ではなく、立体感に溢れた演出を実感することができる。
【先行技術文献】
【特許文献】
【０００３】
【特許文献１】米国特許公開公報第２００５／００２４５５５号
【特許文献２】米国特許公開公報第２００６／００２８５９７号
【特許文献３】米国特許公開公報第２００８／０２１４２７７号
【特許文献４】特開２００８−１７８５２０号公報
【特許文献５】台湾特許公開公報第２０１０３０４２５号
【特許文献６】特開２００４−１９２９０９号公報
【発明の概要】
【発明が解決しようとする課題】
【０００４】
表示装置の内部において、ユーザに実物のリールを見せるために、リールの位置に対応するバックライトモジュールの一部の領域が透明であるように構成されている。すなわち、ユーザが表示装置を見たときに、バックライトモジュール及び表示パネルなどの表示装置の内部構成要素を通じて回転するリールを直接見えるようにしている。ユーザが回転するリールを見ることができるようにするための一つの方法として、リールの位置に対応する領域でバックライトモジュールに穴を形成したものがある。しかし、バックライトモジュールでこのような穴を形成すると、穴の周縁に輝度の比較的低い領域（グレーゾーン）が生じることがある。
【課題を解決するための手段】
【０００５】
上記問題を解決するために、本発明の表示装置は、表示パネルと、バックライトモジュールと、リールとを含む。バックライトモジュールは、表示パネルに対向して配置され、光透過領域と、発光領域と、周縁領域と、第１輝度向上フィルムと、を含み、周縁領域は、光透過領域と発光領域との間に介在する。光透過領域は、第１方向に延在する第１エッジと、第１方向とは異なる第２方向に延在する第２エッジとを含み、第１エッジが第２エッジに接続される。バックライトモジュールは、第１輝度向上フィルムをさらに含み、第１輝度向上フィルムは、第１方向に沿って配列される複数の第１微細構造を含む。周縁領域を通過するとともに第１エッジに接続されていない複数の微細構造の集光効率が、発光領域のみ通過する複数の第１微細構造の集光効率より低い。リールは、光透過領域に対向して配置され、表示パネル及びリールは、それぞれ、バックライトモジュールの両側に対向して配置される。
【発明の効果】
【０００６】
本発明によれば、バックライトモジュールの輝度向上フィルムの一部が集光効率の比較的低い構造となっているため、発光領域と光透過領域との境界部において著しい明暗コントラストを回避することができる。これにより、従来の「グレーゾーン」の問題を解決することができる。
【図面の簡単な説明】
【０００７】
【図１】本発明の一実施例に係る表示装置を示す分解図である。
【図２】図１に示されるバックライトモジュールを示す斜視図である。
【図３】図２に示されるバックライトモジュールを示す正面部分拡大図である。
【図４Ａ】図１に示される第１輝度向上フィルムを示す部分拡大斜視図である。
【図４Ｂ】図１に示される第２輝度向上フィルムを示す部分拡大斜視図である。
【図５】図２の第１輝度向上フィルムの第１具体的態様を示すＡ−Ａ’矢視断面図である。
【図６】図２の第１輝度向上フィルムの第１具体的態様を示すＢ−Ｂ’矢視断面図である。
【図７】第１輝度向上フィルムの第２具体的態様を示す断面図であり、その断面位置は図５と同じである。
【図８】第１輝度向上フィルムの第３具体的態様を示す断面図であり、その断面位置は図５と同じである。
【図９】第１輝度向上フィルムの第４具体的態様を示す断面図であり、その断面位置は図５と同じである。
【図１０】第１輝度向上フィルムの第５具体的態様を示す断面図であり、その断面位置は図５と同じである。
【図１１】第１輝度向上フィルムの第６具体的態様を示す断面図であり、その断面位置は図６と同じである。
【図１２】第１輝度向上フィルムの第７具体的態様を示す断面図であり、その断面位置は図６と同じである。
【図１３】第１輝度向上フィルムの第８具体的態様を示す断面図であり、その断面位置は図６と同じである。
【図１４】本発明の他の実施例に係る表示装置を示す分解斜視図である。
【図１５】本発明の別の実施例に係る表示装置を示す分解斜視図である。
【発明を実施するための形態】
【０００８】
本発明の課題を解決するための手段、及び発明の効果をより深く理解するため、以下、本発明の実施形態において、図面を参照しながら本発明の技術特徴をより詳しく説明する。ただし、本発明は、以下の実施形態の説明及び図面に示された構成に限定されない。
なお、図面は、本発明をより理解しやすく説明するために提供したにすぎず、図面中の各構成及び要素などは、同じ比例関係で示されたものではない。また、図面において、同一なものには、同一な符号を付して説明する。
【０００９】
本明細書において明確な説明がない限り、言及される数値はいずれも近似値、すなわち、「約」、「ほぼ」又は「略」に対して明確な説明がなくても推測判断できることを意味する。本明細書で使用する「約」、「ほぼ」又は「略」は、一般的に数値の誤差又は範囲が２０％以内であることを指し、１０％以内であることが好ましく、５％以内であることがより好ましい。
【００１０】
以下の実施形態に開示されている表示装置は、スロットマシン（ｓｌｏｔ  ｍａｃｈｉｎｅ）の表示装置として適用することができる。具体的に、以下の実施形態の表示装置は、連続する図柄をスクロール表示することができる。また、表示装置が連続する図柄をスクロール表示する場合には、奥行又は遠近感を有する立体視（３次元）効果が実現される。一方、表示装置において連続する図柄をスクロール表示しない場合には、平面（２次元）表示効果が実現される。しかし、本発明はこれに限定されない。以下の実施形態に開示されている表示装置は、奥行又は遠近感がある立体視効果を有する画像を表示できるとともに、２次元表示効果を有する画像に適時に切り替える必要がある任意の表示装置とすることができる。
【００１１】
図１は、本発明の一実施例に係る表示装置を示す分解図である。図１に示すように、表示装置１０は、表示パネル１１０、バックライトモジュール１２０及びリール１３０を含み、表示パネル１１０及びリール１３０は、それぞれ、バックライトモジュール１２０の両側に対向して配置される。本実施例において、リール１３０は、図柄１３１を有する。リール１３０が回転すると、リール１３０上の連続スクロールする図柄１３１は、バックライトモジュール１２０及び表示パネル１１０などの表示装置１０の内部構成要素を通じてユーザに見せることができ、スクロールするリール１３０上の図柄１３１を立体的に表現することができる。
【００１２】
具体的に、一実施例において、バックライトモジュール１２０は、表示パネル１１０に対向して配置される。言い換えれば、バックライトモジュール１２０の表面１２０ａは、表示パネル１１０の表面１１０ａに対向して配置される。また、図２に示すバックライトモジュール１２０の斜視図を併せて参照すると、バックライトモジュール１２０は、光透過領域Ｒ１、発光領域Ｒ２及び周縁領域Ｒ３を含む。本実施例において、光透過領域Ｒ１は、開口であり、バックライトモジュール１２０を貫通する通路であるため、この開口において、任意方向の光が遮られることなく通過することが可能である。リール１３０は、光透過領域Ｒ１に対向して配置される（図１を併せて参照）。このように、リール１３０が回転する際、光透過領域Ｒ１及びそれに対応する表示パネル１１０の透明部分を通じて、ユーザにリール１３０上の連続スクロールする図柄１３１を見せることができ、立体視効果を実現することができる。
【００１３】
発光領域Ｒ２は、光がバックライトモジュール１２０の表面１２０Ａからほぼ均一に出射する領域である。一般的に言えば、発光領域Ｒ２から発する光は、均一な輝度の面光源となり、表示パネル１１０が２次元画像を表示するように、表示パネル１１０に向けて光を出射する。
【００１４】
周縁領域Ｒ３は、光透過領域Ｒ１と発光領域Ｒ２との間に介在する。周縁領域Ｒ３は、バックライトモジュール１２０の表面１２０ａ上の、発光領域Ｒ２からの光の輝度よりも弱い（低い）輝度の光を発光する領域である。一実施例において、周縁領域Ｒ３の大きさは、従来の「グレーゾーン」が占める範囲の大きさに近似する。他の実施例において、周縁領域Ｒ３は、光透過領域Ｒ１から発光領域Ｒ２への方向に沿って約２ｍｍ〜約１０ｍｍ延びる領域であり、その占める範囲が少なくとも従来の「グレーゾーン」の範囲以上である。
【００１５】
いくつかの実施例において、周縁領域Ｒ３から発する光が、従来の「グレーゾーン」から発する光よりも小さい輝度を有する。具体的には、本発明のいくつかの実施例において、輝度向上フィルムにおける周縁領域Ｒ３の集光効率が従来の「グレーゾーン」の集光効率より小さい。これにより、ユーザは、光透過領域Ｒ１と発光領域Ｒ２との境界部に著しい明暗コントラストに気づきにくいか気づくことがない。すなわち、ユーザは、周縁領域Ｒ３の存在を知覚することができない。
【００１６】
さらに、他のいくつかの実施例において、バックライトモジュール１２０の周縁領域Ｒ３が発する光の輝度を、発光領域Ｒ２から光透過領域Ｒ１に向かって徐々に小さくすることにより、ユーザは、光透過領域Ｒ１と発光領域Ｒ２との境界部に著しい明暗コントラストに気づきにくいか気づくことがない。
【００１７】
図３は、図２に示されるバックライトモジュール１２０を示す正面部分拡大図である。同図を併せて参照すると、光透過領域Ｒ１は、第１方向Ｘに延在する第１エッジＬ１と、第２方向Ｙに延在する第２エッジＬ２とを含み、第１エッジＬ１が第２エッジＬ２に接続され、第１方向Ｘが第２方向Ｙと異なる。一実施例において、第１方向Ｘ及び第２方向Ｙは、互いに実質的に直交しているが、本発明は、これに限定されない。一実施例において、周縁領域Ｒ３は、第１エッジＬ１及び第２エッジＬ２を境界として発光領域Ｒ２に向かって約２ｍｍ〜約１０ｍｍ延びる領域である。
【００１８】
以下の実施例では、まず、バックライトモジュール１２０の構成要素について説明し、次に、図を参照しながらバックライトモジュール１２０が、どのように光透過領域Ｒ１、周縁領域Ｒ３及び発光領域Ｒ２の境界部の明暗コントラストを低減又は消去させることについて説明する。
【００１９】
図１を参照して、一実施例において、バックライトモジュール１２０は、例えば、第１輝度向上フィルム１２１、第２輝度向上フィルム１２２、導光板１２３、２つの第１光源１２４、反射板１２６及び拡散板１２７などを含む。第１光源１２４は、複数の発光ダイオード光を含んでもよいが、本発明はこれに限定されない。図１に例示するバックライトモジュール１２０は、エッジ照明型バックライトモジュールであり、２つの第１光源１２４は、それぞれ、導光板１２３の２つの側面（上側面及び下側面）に配置されてもよいが、本発明はこれに限定されない。また、第１光源１２４の数は、２つに限定されず、需要に応じて調整することができる。
【００２０】
第１光源１２４の光をできるだけ表示パネル１１０の方向に向かって出射できるため、反射板１２６は、リール１３０及び導光板１２３との間に位置する。バックライトモジュール１２０の発光領域Ｒ２から発する光の均一性を向上させるため、拡散板１２７は、第１輝度向上フィルム１２１と導光板１２３との間に位置する。拡散板１２７の数及び位置は、需要に応じて調整することができる。第１輝度向上フィルム１２１は、例えば、導光板１２３と表示パネル１１０との間に位置する。具体的に、第１輝度向上フィルム１２１は、例えば、第２輝度向上フィルム１２２と拡散板１２７との間に位置し、第２輝度向上フィルム１２２は、例えば、第１輝度向上フィルム１２１と表示パネル１１０との間に位置する。第１輝度向上フィルム１２１及び第２輝度向上フィルム１２２は、バックライトモジュール１２０の発光強度を高めることができる。すなわち、図１に示すように、バックライトモジュール１２０の各光学フィルムは、第３方向Ｚに沿って第２輝度向上フィルム１２２、第１輝度向上フィルム１２１、拡散板１２７、導光板１２３及び反射板１２６の順に配置される。第３方向Ｚは、第１方向Ｘ及び第２方向Ｙに略垂直となる。ただし、本発明は、これに限定されず、各光学フィルムの並び順は、需要に応じて調整することができる。
【００２１】
図１を引き続き参照すると、表示装置１０は、第２光源１２５をさらに含み、第２光源１２５は、リール１３０から第２方向Ｙに延びる経路上に配置される。すなわち、第２光源１２５は、リール１３０に光を提供するために、リール１３０の上方に配置されるが、本発明はこれに限定されない。他の実施例において、リール１３０の内側に収容空間が存在し、リール１３０自身から光が出射されるように、第２光源１２５は、そのリール１３０の収容空間内に配置してもよい。なお、上述した表示装置１０の光学フィルムの種類又は光学素子の並び順は、本発明を制限するものではないことに留意すべきである。例えば、一変化実施例において、表示装置１０は、第２光源１２５を含まなくてもよく、バックライトモジュール１２０の導光板１２３上の光透過領域Ｒ１に近い導光構造によって、第１光源１２４の光の一部をリール１３０へ導くことができる。
【００２２】
次に、図１〜図４Ｂを併せて参照する。図４Ａ及び図４Ｂは、それぞれ、図１に示される第１輝度向上フィルム１２１及び第２輝度向上フィルム１２２を示す部分拡大斜視図である。また、同図における破断線は、第１輝度向上フィルム１２１及び第２輝度向上フィルム１２２のプリズム柱を強調表示するために用いられる。図４Ａに示すように、バックライトモジュール１２０の第１輝度向上フィルム１２１は、複数の第１微細構造１２１ａを含み、これら第１微細構造１２１ａは、第１方向Ｘに沿って配列される。言い換えれば、第１方向Ｘに沿って第１微細構造１２１ａが繰り返して配列される。また、周縁領域Ｒ３を通過するとともに、第１エッジＬ１に接続されない第１微細構造１２１ａの集光効率は、発光領域Ｒ２のみを通過する第１微細構造１２１ａの集光効率より小さい。これにより、明暗コントラストを低減することができる。また、一実施例において、周縁領域Ｒ３（図４Ａに示す）を通過する第１微細構造１２１ａの集光効率が、第１方向Ｘにおいて周縁領域Ｒ３の外側から光透過領域Ｒ１の第２エッジＬ２に向かって徐々に小さくなる。具体的には、図２〜図４Ａを併せて参照して、第１微細構造１２１ａの集光効率が、横方向である第１方向Ｘにおいて周縁領域Ｒ３と発光領域Ｒ２との境界部から周縁領域Ｒ３と光透過領域Ｒ１との境界部に向かって徐々に小さくなる。こうすると、バックライトモジュール１２０の周縁領域Ｒ３からの発光強度が第１方向Ｘにおいて発光領域Ｒ２から光透過領域Ｒ１に向かって徐々に小さくなることにより、周縁領域Ｒ３は、隣接する光透過領域Ｒ１又は発光領域Ｒ２と比べて著しい明暗コントラストがなくなり、より良好な画質が得られることができる。
【００２３】
図２〜図４Ｂを引き続き参照する。一実施例において、バックライトモジュール１２０の第２輝度向上フィルム１２２は、第１輝度向上フィルム１２１に対向して配置され、複数の第２微細構造１２２ａを含み、これら第２微細構造１２２ａは、第２方向Ｙに沿って配列される。言い換えれば、第２微細構造１２２ａは、第２方向Ｙに沿って繰り返して配列される。また、周縁領域Ｒ３を通過するとともに、第２エッジＬ２に接続されない第２微細構造１２２ａの集光効率は、発光領域Ｒ２のみを通過する第２微細構造１２２ａの集光効率より小さい。これにより、明暗コントラストを低減させることができる。また、一実施例において、周縁領域Ｒ３を通過する第２微細構造１２２ａの集光効率が、第２方向Ｙにおいて周縁領域Ｒ３の外側から光透過領域Ｒ１の第１エッジＬ１に向かって徐々に小さくなる。具体的には、第２微細構造１２２ａの集光効率が、縦方向（すなわち、図５Ｂに示す第２方向Ｙ）において周縁領域Ｒ３と発光領域Ｒ２との境界部から周縁領域Ｒ３と光透過領域Ｒ１との境界部に向かって徐々に小さくなる。このように、バックライトモジュール１２０の周縁領域Ｒ３が発する光の輝度が、第２方向Ｙにおいて発光領域Ｒ２から光透過領域Ｒ１に向かって徐々に小さくなることにより、発光領域Ｒ２、周縁領域Ｒ３及び光透過領域Ｒ１の境界部の明暗コントラストを消去することができ、より良好な画質が得られることができる。また、上述した第１輝度向上フィルム１２１及び第２輝度向上フィルム１２２の集光効率が周縁領域Ｒ３において徐々に小さくなることにより、バックライトモジュール１２０は、発光領域Ｒ２と周縁領域Ｒ３との境界部の発光輝度をより均一とすることができ、表示装置１０の表示品質（ｑｕａｌｉｔｙ）を向上することができる。
【００２４】
また、図４Ａ及び図４Ｂに示すように、一実施例において、第１輝度向上フィルム１２１の第１エッジＬ１は、第１中央部分Ｃ１及び第１側縁部分Ｂ１をさらに含む。第１側縁部分Ｂ１は、第１中央部分Ｃ１と第２エッジＬ２との間に位置する。そして、第１中央部分Ｃ１に接続される第１微細構造１２１ａの集光効率は、発光領域Ｒ２のみ通過する第１微細構造１２１ａの集光効率に実質的に等しい。
【００２５】
また、第１側縁部分Ｂ１に接続される第１微細構造１２１ａの集光効率は、第１方向Ｘにおいて第１中央部分Ｃ１に向かって徐々に大きくなる。具体的には、仮に、第１輝度向上フィルム１２１において、第２エッジＬ２に沿ってエッジＬ２’を定義すると、図４Ａに示すように、このエッジＬ２’上に最も小さい集光効率を有し、左側に向かって発光領域Ｒ２のみ通過する第１微細構造１２１ａの集光効率が、右側に向かって第１中央部分Ｃ１の第１微細構造１２１ａの集光効率に実質的に等しくなるように、このエッジＬ２’から左右両側に向かって集光効率が徐々に大きくなる。簡単に説明すると、一実施例において、エッジＬ２’から両側に進むにつれて集光効率が対称的に徐々に大きくなる。これにより、発光領域Ｒ２と光透過領域Ｒ１との境界部に著しい明暗コントラストが生じないようになる。
【００２６】
同様に、図４Ｂに示すように、第２輝度向上フィルム１２２の第２エッジＬ２は、第２中央部分Ｃ２及び第２側縁部分Ｂ２を含む。第２側縁部分Ｂ２は、第２中央部分Ｃ２と第１エッジＬ１との間に位置する。また、第２中央部分Ｃ２に接続される第２微細構造１２２ａの集光効率が、発光領域Ｒ２のみ通過する第２微細構造１２２ａの集光効率に実質的に等しい。そして、第２側縁部分Ｂ２に接続される第２微細構造１２２ａの集光効率は、第２方向Ｙにおいて第２中央部分Ｃ２に向かって徐々に大きくなる。具体的には、第２輝度向上フィルム１２２において、第１エッジＬ１に沿って第１方向Ｘに向かってエッジＬ１’を定義すると、エッジＬ１’から両側に進むにつれて集光効率が対称的に徐々に大きくなる。これにより、発光領域Ｒ２と光透過領域Ｒ１との境界部に著しい明暗コントラストが生じないようになる。
【００２７】
一実施例において、第１側縁部分Ｂ１は、第２エッジＬ２から第１中央部分Ｃ１への方向に沿って約２ｍｍ〜約１０ｍｍ延び、第２側縁部分Ｂ２は、第１エッジＬ１から第２中央部分Ｃ２への方向に沿って約２ｍｍ〜約１０ｍｍ延びていてもよい。具体的には、第１側縁部分Ｂ１の第１方向Ｘに沿って延びる長さが、周縁領域Ｒ３の第１方向Ｘにおいて光透過領域Ｒ１から発光領域Ｒ２へ延びる長さに実質的に等しい。一方、第２側縁部分Ｂ２の第２方向Ｙに沿って延びる長さが、周縁領域Ｒ３の第２方向Ｙにおいて光透過領域Ｒ１から発光領域Ｒ２へ延びる長さに実質的に等しい。すなわち、第１輝度向上フィルム１２１の第１方向Ｘにおいて、エッジＬ２’から両側へ約２ｍｍ〜約１０ｍｍ延びる範囲内の構造は、互いに対称となっている。同様に、第２輝度向上フィルム１２２の第２方向Ｙにおいて、エッジＬ１’から両側へ約２ｍｍ〜約１０ｍｍ延びる範囲内の構造は、互いに対称となっている。このような対称構造は、製造工程において、発光領域Ｒ２と光透過領域Ｒ１との間の明暗コントラストを除去することのできる第１輝度向上フィルム１２１及び第２輝度向上フィルム１２２を容易かつ迅速に製造することができる。
【００２８】
上述した実施例において、バックライトモジュール１２０の第１輝度向上フィルム１２１及び第２輝度向上フィルム１２２を積層することにより、第１輝度向上フィルム１２１の第１方向Ｘにおいて光透過領域Ｒ１から外側へ延びる左右両側、及び第２輝度向上フィルム１２２の第２方向Ｙにおいて光透過領域Ｒ１から外側へ延びる上下両側は、それぞれ集光効率が弱いから徐々に強くなるように設計することにより、バックライトモジュール１２０の発光領域Ｒ２と周縁領域Ｒ３との境界部に、著しい明暗コントラストが生じないようになる。これにより、表示装置１０の表示品質を向上することができる。また、第１輝度向上フィルム１２１の光透過領域Ｒ１において、第１方向Ｘに沿って内側へ延びる第１側縁部分Ｂ１の第１微細構造１２１ａ、及び第２輝度向上フィルム１２２の光透過領域Ｒ１において、第２方向Ｙに沿って内側へ延びる第２側縁部分Ｂ２の第２微細構造１２２ａは、それぞれ集光効率が弱いから徐々に強くなるように設計することにより、表示品質をさらに向上することができる。
【００２９】
上述した実施例は、集光効率が徐々に変化するように設計することが開示されているが、本発明はこれに限定されない。本発明のいくつかの実施例において、周縁領域Ｒ３から発する光が従来の「グレーゾーン」よりも低い輝度を有すれば、同様にバックライトモジュール１２０の発光領域Ｒ２と光透過領域Ｒ１との境界部に著しい明暗コントラストが生じないようになることに留意されたい。
【００３０】
次に、複数の例示的な実施例を開示し、周縁領域Ｒ３において集光効率を弱いから強くなるように変化させるいくつかの輝度向上フィルムの構成について説明する。以下の実施例に開示される構成は単なる一例であり、周縁領域Ｒ３内の集光効率を発光領域Ｒ２から光透過領域Ｒ１に進むにつれて徐々に弱くする構成、又は周縁領域Ｒ３内の光の輝度を従来の「グレーゾーン」よりも低くする構成により、発光領域Ｒ２と周縁領域Ｒ３との境界部に著しい明暗コントラストが生じないようにすること、又は周縁領域Ｒ３の範囲に従来の「グレーゾーン」を除去することは、全て本発明の範囲内に含まれる。
なお、説明上の便宜のため、以下の図面では、第１輝度向上フィルム１２１を例として示しているが、第２輝度向上フィルム１２２は、第１輝度向上フィルム１２１と同じような集光効率が変化する構成を有することに留意されたい。ただし、第２輝度向上フィルム１２２の第２微細構造１２２ａは、第２方向Ｙに沿って配列されるが、第１輝度向上フィルム１２１の第１微細構造１２１ａは、第１方向Ｘに沿って配列されることが相違点である。
【００３１】
図５は、図２の第１輝度向上フィルムの第１具体的態様を示すＡ−Ａ’矢視断面図である。以下、説明上の便宜のため、同図では第１輝度向上フィルム１２１のみが示されているが、第１輝度向上フィルム１２１及び第２輝度向上フィルム１２２について同時に説明する。第１輝度向上フィルム１２１を例に説明すると、符号Ｒ１は光透過領域を、符号Ｒ２は発光領域Ｒ２のみを通過する微細構造の領域を、符号Ｒ３は周縁領域Ｒ３を通過するとともに第１エッジＬ１に接していない微細構造の領域をそれぞれ示している。図５に示すように、第１輝度向上フィルム１２１における複数の第１微細構造１２１ａは、複数のプリズム柱であり、これらプリズム柱が互いに隣接配置されている。具体的に、第１微細構造１２１ａは、光透過性を有する三角柱であってもよい。また、周縁領域Ｒ３を通過する第１微細構造１２１ａの大きさが、第１方向Ｘにおいて周縁領域Ｒ３の外側から光透過領域Ｒ１の第２エッジＬ２に向かって徐々に小さくなる。
【００３２】
より詳細には、一実施例において、第１微細構造１２１ａは、第１斜面２ａ、第２斜面２ｂ、及び第１斜面２ａと第２斜面２ｂとの交差によって形成される線である稜線１ａを有してもよい。また、各稜線１ａは、第１方向Ｘに沿って互いに平行に配列される。周縁領域Ｒ３内の稜線１ａの高さｈ１は、第１方向Ｘにおいて発光領域Ｒ２から光透過領域Ｒ１に向かって徐々に低くなり、周縁領域Ｒ３を通過せずに発光領域Ｒ２内の稜線１ａの高さｈ１は、実質的に同じである。簡単に説明すると、図５では、第１微細構造１２１ａの断面は三角形であり、周縁領域Ｒ３内において、これら三角形の大きさが、第１方向Ｘにおいて発光領域Ｒ２の境界から光透過領域Ｒ１の境界に向かって徐々に小さくなる一方、発光領域Ｒ２のみを通過する第１微細構造１２１ａは、その三角形の断面の大きさがほぼ同じである。
【００３３】
同様に、第２輝度向上フィルム１２２における複数の第２微細構造１２２ａは、複数のプリズム柱であり、周縁領域Ｒ３を通過する第２微細構造１２２ａの大きさは、第２方向Ｙにおいて周縁領域Ｒ３の外側から光透過領域Ｒ１の第１エッジＬ１に向かって徐々に小さくなる。具体的には、第１方向Ｘにおいて第２エッジＬ２と発光領域Ｒ２との間の第１微細構造１２１ａの高さ、及び第２方向Ｙにおいて第１エッジＬ１と発光領域Ｒ２との間の第２微細構造１２２ａの高さは、約５μｍ〜３０μｍであり、且つピッチＰ１は、約１０μｍ?６０μｍである。すなわち、図５では、第１方向Ｘにおいて、周縁領域Ｒ３の第１微細構造１２１ａの稜線１ａの高さｈ１は、発光領域Ｒ２に進むにつれて高くなり、最大３０μｍであり、２つの隣接する稜線１ａ間のピッチＰ１は、最大６０μｍである。一方、周縁領域Ｒ３の第１微細構造１２１ａの稜線１ａの高さｈ１は、光透過領域Ｒ１に進むにつれて低くなり、最小５μｍであり、２つの隣接する稜線１ａ間のピッチＰ１は、最小１０μｍである。
【００３４】
このように、第１微細構造１２１ａ及び第２微細構造１２２ａがプリズム柱の形状になるように設計することに加え、周縁領域Ｒ３内のプリズム柱の大きさが異なる方向において発光領域Ｒ２から光透過領域Ｒ１に向かって徐々に変化することにより、周縁領域Ｒ３において、第１微細構造１２１ａの集光効率が第１方向Ｘにおいて周縁領域Ｒ３の外側から光透過領域Ｒ１の第２エッジＬ２に向かって徐々に小さくなるとともに、第２微細構造１２２ａの集光効率が第２方向Ｙにおいて周縁領域Ｒ３の外側から光透過領域Ｒ１の第１エッジＬ１に向かって徐々に小さくなる効果をもたらす。
【００３５】
図６は、図２の第１輝度向上フィルムの第１具体的態様を示すＢ−Ｂ’矢視断面図である。なお、図６において、符号Ｂ１は、光透過領域Ｒ１の第１側縁部分Ｂ１に接続されている微細構造の領域を示し、符号Ｃ１は、光透過領域Ｒ１の第１中央部分Ｃ１に接続されている微細構造の領域を示し、符号Ｒ２は、発光領域Ｒ２のみを通過する微細構造の領域を示し、符号Ｒ２は、周縁領域Ｒ３を通過し、第１エッジＬ１に接続されていない微細構造の領域を示している。
【００３６】
図６から分かるように、境界Ｌ２’（図４Ａを併せて参照する）の両側の集光効率が互いに対称的に弱いから徐々に強くなる。つまり、第１輝度向上フィルム１２１において、プリズム柱の大きさが徐々に変化する。したがって、発光領域Ｒ２、周縁領域Ｒ３又は光透過領域Ｒ１の境界部に著しい明暗コントラストが生じないようになる。同様に、第２輝度向上フィルム１２２も同じような構成を有しているため、ここでの説明を省略する。
【００３７】
図７は、第１輝度向上フィルム１２１の第２具体的態様を示す断面図であり、その断面位置は図２のＡ−Ａ’線である。本実施例において、第１輝度向上フィルム１２１における複数の第１微細構造１２１ａは、複数のプリズム柱であり、これらプリズム柱が互いに隣接配置されている。同様に、本実施例において、周縁領域Ｒ３を通過する第１微細構造１２１ａの大きさが、第１方向Ｘにおいて周縁領域Ｒ３の外側から光透過領域Ｒ１の第２エッジＬ２に向かって徐々に小さくなる。
【００３８】
図７に例示する周縁領域Ｒ３を通過する第１微細構造１２１ａの高さｈ１は、第１方向Ｘにおいて周縁領域Ｒ３の外側から光透過領域Ｒ１の第２エッジＬ２に向かって低くなり、且つ、光透過領域Ｒ１に近い斜面（すなわち、第２斜面２ｂ）は、第１方向Ｘにおいて周縁領域Ｒ３の外側から光透過領域Ｒ１の第２エッジＬ２に向かって傾斜角が徐々に小さくなる。より詳細には、周縁領域Ｒ３を通過する各第１微細構造１２１ａの稜線１ａの高さｈ１が、光透過領域Ｒ１の第２エッジＬ２に向かって徐々に低くなる。また、本実施例において、周縁領域Ｒ３を通過する第１微細構造１２１ａ間のピッチＰ１は実質的に変わらないが、本発明はこれに限定されず、需要に応じて調整することができる。そして、周縁領域Ｒ３を通過する第１微細構造１２１ａの第２斜面２ｂの傾斜角が第１斜面２ａの傾斜角より小さくなってもよい。稜線１ａの高さｈ１が低くなるにつれ、これら第２斜面２ｂの傾斜角が周縁領域Ｒ３の外側から光透過領域Ｒ１の第２エッジＬ２に向かって徐々に小さくなり、つまり、第２斜面２ｂが緩やかになる。言い換えれば、周縁領域Ｒ３を通過する第１微細構造１２１ａの第２斜面２ｂと底面との角度は、第１斜面２ａと底面との角度よりも小さくなっていてもよい。稜線１ａの高さｈ１が低くなるにつれ、これら第２斜面２ｂと底面との角度は、周縁領域Ｒ３の外側から光透過領域Ｒ１の第２エッジＬ２に向かって徐々に小さくなる。
【００３９】
換言すれば、周縁領域Ｒ３を通過する第１微細構造１２１ａの断面は、略非二等辺三角形の形状である。ここで、光透過領域Ｒ１に近い底角の角度は、例えば、約１度〜約４５度であり、光透過領域Ｒ１から離れる底角の角度は、例えば、９０度未満かつ光透過領域Ｒ１に近い底角の角度より大きくなってもよい。このように、周縁領域Ｒ３を通過する第１微細構造１２１ａは、高さｈ１が徐々に低くなるとともに、光透過領域Ｒ１に近い第２斜面２ｂの傾斜角が小さくなるように設計することにより、その集光効率が光透過領域Ｒ１の第２エッジＬ２から発光領域Ｒ２に向かって徐々に大きくなり、バックライトモジュール１２０は、発光領域Ｒ２と光透過領域Ｒ１との境界部に著しい明暗コントラストが生じないようになる。同様に、第２輝度向上フィルム１２２も同じような構成を有する。つまり、周縁領域を通過する第２微細構造の高さが第２方向において周縁領域の外側から光透過領域の第１エッジに向かって徐々に小さくなり、かつ、周縁領域を通過する第２微細構造は、光透過領域に近い斜面の傾斜度が、第２方向において周縁領域の外側から光透過領域の第１エッジに向かって徐々に小さくなる。ここでの詳細な説明を省略する。
【００４０】
図８は、第１輝度向上フィルム１２１の第３具体的態様を示す断面図であり、その断面位置は図２のＡ−Ａ’線である。本実施例において、第１輝度向上フィルム１２１における複数の第１微細構造１２１ａは、複数のプリズム柱であり、これらプリズム柱が互いに隣接配置されている。また、周縁領域Ｒ３を通過する第１微細構造１２１ａの高さは実質的に同じであり、光透過領域Ｒ１に近い斜面（すなわち、第２斜面２ｂ）は、第１方向Ｘにおいて周縁領域Ｒ３の外側から光透過領域Ｒ１の第２エッジＬ２に向かって傾斜角が徐々に小さくなり、つまり緩やかになる。例えば、同図において、周縁領域Ｒ３を通過する各第１微細構造１２１ａの稜線１ａの高さｈ１は、実質的に同じであるとともに、発光領域Ｒ２のみを通過する第１微細構造１２１ａの稜線１ａの高さｈ１に実質的に等しい。また、これら第１微細構造１２１ａは、光透過領域Ｒ１に近い第２斜面２ｂの傾斜角が第１斜面２ａの傾斜角より小さく、これら第２斜面２ｂの傾斜角は、周縁領域Ｒ３の外側から光透過領域Ｒ１の第２エッジＬ２に向かって徐々に小さくなる。本実施例において、周縁領域Ｒ３を通過する第１微細構造１２１ａ間のピッチＰ１が実質的に変わらないが、需要に応じて調整することができる。
【００４１】
換言すれば、周縁領域Ｒ３を通過する第１微細構造１２１ａの断面は、略非二等辺三角形の形状である。同じ三角形において、光透過領域Ｒ１に近い底角の角度は、光透過領域Ｒ１から離れる底角の角度よりも小さい。周縁領域Ｒ３を通過する第１微細構造１２１ａの複数の三角形の断面における光透過領域Ｒ１に近い底角は、周縁領域Ｒ３の外側から光透過領域Ｒ１の第２エッジＬ２に向かって徐々に小さくなる。また、周縁領域Ｒ３を通過する第１微細構造１２１ａの複数の三角形の断面において、光透過領域Ｒ１に近い底角の角度は、約１度〜約４５度であり、光透過領域Ｒ１から離れる底角の角度は、９０度未満かつ光透過領域Ｒ１に近い底角の角度より大きくなってもよい。このように、プリズム柱では、角度の小さい斜面の集光効率が低いため、図８の実施例における周縁領域Ｒ３を通過する第１微細構造１２１ａの集光効率は、光透過領域Ｒ１の第２エッジＬ２から発光領域Ｒ２に向かって徐々に大きくなり、バックライトモジュール１２０は、発光領域Ｒ２と光透過領域Ｒ１との境界部（すなわち、周縁領域Ｒ３）に著しい明暗コントラストが生じないようになる。同様に、第２輝度向上フィルム１２２も同じような構成を有する。つまり、周縁領域を通過する第２微細構造の高さが実質的に同じであり、周縁領域を通過する第２微細構造の光透過領域に近い斜面は、第２方向において周縁領域の外側から光透過領域の第１エッジに向かって傾斜角が徐々に小さくなる。この点については詳細な説明を省略する。
【００４２】
図９は、第１輝度向上フィルム１２１の第４具体的態様を示す断面図であり、その断面位置は図２のＡ−Ａ’線である。同図に示すように、第１輝度向上フィルム１２１の各プリズム柱（同図に示す三角形は、プリズム柱の断面図である）は、少なくとも一部が互いに離間配置されている。また、周縁領域Ｒ３内の第１方向Ｘにおいて２つの隣接する第１微細構造１２１ａ間の間隔Ｄ１は、発光領域Ｒ２（すなわち、周縁領域Ｒ３の外側）から第２エッジＬ２に向かって徐々に大きくなる。具体的に、一実施例において、第２エッジＬ２と発光領域Ｒ２との間の第１微細構造１２１ａの高さｈ１は、約５μｍ〜３０μｍであり、かつピッチＰ１は、１０μｍ以上であってもよい。同様に、第２輝度向上フィルム１２２のプリズム柱は、互いに離間配置されてもよく、第２方向において第１エッジＬ１と発光領域Ｒ２（すなわち、周縁領域Ｒ３の外側）との間の第２微細構造１２２ａの高さは、５μｍ〜３０μｍであり、かつピッチは、１０μｍ以上である。
【００４３】
簡単に説明すると、図９を図５と比べると、第１微細構造１２１ａの高さｈ１は、５μｍ〜３０μｍである。しかし、図９における２つの隣接する第１微細構造１２１ａが互いに離間配置されているため、図９における周縁領域Ｒ３の隣接するプリズム柱の間隔は、少なくとも１０μｍより大きくする必要がある。こうすると、周縁領域Ｒ３内の第１微細構造１２１ａの集光効率も徐々に小さくなる。また、図５に比べて、図９における第１微細構造１２１ａの周縁領域Ｒ３内の集光効率の変化が大きい。
【００４４】
図１０は、第１輝度向上フィルム１２１の第５具体的態様を示す断面図であり、その断面位置は図２のＡ−Ａ’線である。同図に示すように、第１輝度向上フィルム１２１の複数の第１微細構造１２１ａは、複数のプリズム柱である。また、周縁領域Ｒ３を通過する第１微細構造１２１ａは、第１方向Ｘにおいて周縁領域Ｒ３の外側から第２エッジＬ２に向かってその配置密度が徐々に小さくなる。詳述すると、同図において、各第１微細構造１２１ａの断面の大きさは、例えば、ほぼ同じである。また、２つの隣接する第１微細構造１２１ａ間の間隔Ｄ１は、発光領域Ｒ２から第２エッジＬ２に向かって徐々に大きくなる。一実施例では、第１方向Ｘにおいて第２エッジＬ２と発光領域Ｒ２との間の第１微細構造１２１ａにおけるいずれかの２つの隣接するプリズム柱の間隔Ｄ１は、１０μｍより大きい。具体的に、周縁領域Ｒ３内の発光領域Ｒ２に近い２つの隣接するプリズム柱は、互いに隣接配置され、そのピッチＰ１が例えば１０μｍである。そして、第１方向Ｘに沿って光透過領域Ｒ１に延びる２つの隣接するプリズム柱は、互いに離間配置され、光透過領域Ｒ１に近いにつれて２つの隣接するプリズム柱間の間隔Ｄ１及びピッチＰ１が大きくなる。
【００４５】
同様に、第２輝度向上フィルム１２２の複数の第２微細構造１２２ａは、複数のプリズム柱であってもよい。また、周縁領域Ｒ３を通過する第２微細構造１２２ａは、第２方向Ｙにおいて周縁領域Ｒ３の外側から第１エッジＬ１に向かってその配置密度が徐々に小さくなる。また、第１エッジＬ１と発光領域Ｒ２との間の第２微細構造１２２ａにおけるいずれかの２つの隣接するプリズム柱の間隔は、１０μｍより大きい。
【００４６】
このように、第１微細構造１２１ａ及び第２微細構造１２２ａがプリズム柱の形状になるように設計することに加え、周縁領域Ｒ３内のプリズム柱の配置密度が異なる方向において発光領域Ｒ２から光透過領域Ｒ１に向かって徐々に変化することにより、周縁領域Ｒ３において、第１微細構造１２１ａの集光効率が第１方向Ｘにおいて周縁領域Ｒ３の外側から光透過領域Ｒ１の第２エッジＬ２に向かって徐々に小さくなるとともに、第２微細構造１２２ａの集光効率が第２方向Ｙにおいて周縁領域Ｒ３の外側から光透過領域Ｒ１の第１エッジＬ１に向かって徐々に小さくなる効果をもたらす。なお、上述した実施例において、第１側縁部分に接続される第１輝度向上フィルムの第１微細構造を示していないが、第１輝度向上フィルムの集光効率が、境界Ｌ２’を中心として両側に向かって対称的に徐々に大きくなることにより、第１側縁部分に接続される第１輝度向上フィルムの第１微細構造を推測することができるため、これに関する説明を省略する。
【００４７】
図１１は、第１輝度向上フィルム１２１の第６具体的態様を示す断面図であり、その断面位置は図６と同じである。同図に示すように、第１輝度向上フィルム１２１において、周縁領域Ｒ３を通過し、第１エッジＬ１に接続されていない第１微細構造１２１ａの集光効率は、発光領域Ｒ２のみを通過する第１微細構造１２１ａの集光効率よりも小さい。
【００４８】
例えば、発光領域Ｒ２のみを通過する複数の第１微細構造１２１ａは、複数のプリズム柱である。一方、周縁領域Ｒ３を通過し、第１エッジＬ１に接続されていない第１微細構造１２１ａ’は、それぞれ第１丸角部を有する第１ピークＴ１を有する。第１輝度向上フィルム１２１において、第１丸角部の集光効率が、プリズム柱の集光効率よりも小さい。
【００４９】
異なる実施例において、丸角部の曲率半径は、約１μｍ〜２５μｍである。例えば、図１１に示すように丸角部の曲率半径は、約２５μｍであってもよいが、これに限定されない。この時、同図において、周縁領域Ｒ３を通過し、第１エッジＬ１に接続されていない第１微細構造１２１ａ’は、例えば、略半楕円形状である。
【００５０】
さらに、図１１では、第１中央部分Ｃ１と第１側縁部分Ｂ１に接続される第１微細構造１２１ａの構成を示している。図４Ａを併せて参照する。図１１に示す実施例において、第１エッジＬ１の第１中央部分Ｃ１と第１側縁部分Ｂ１に接続される第１微細構造１２１ａの集光効率は、発光領域Ｒ２のみを通過する第１微細構造１２１ａの集光効率に実質的に等しい。このように、周縁領域Ｒ３内の第１微細構造１２１ａにおけるプリズム柱を丸角部に置換することによって、本実施例の周縁領域Ｒ３が従来の「グレーゾーン」よりも暗くなるため、ユーザは、第１輝度向上フィルム１２１の光透過領域Ｒ１と発光領域Ｒ２との境界部に著しい明暗コントラストに気づきにくくなる。
【００５１】
同様に、第２輝度向上フィルム１２２において、周縁領域Ｒ３を通過し、第２エッジＬ２に接続されていない第２微細構造１２２ａの集光効率は、発光領域Ｒ２のみを通過する第２微細構造１２２ａの集光効率よりも小さい。例えば、第２輝度向上フィルム１２２において、発光領域Ｒ２のみを通過する複数の第２微細構造１２２ａは、それぞれ、プリズム柱であってもよく、周縁領域Ｒ３を通過し、第２エッジＬ２に接続されていない第２微細構造１２２ａは、それぞれ、第１丸角部を有する類似な第１ピークＴ１を有してもよい。また、表示装置１０において、第１輝度向上フィルム１２１及び第２輝度向上フィルム１２２を積層することにより、バックライトモジュール１２０の発光領域Ｒ２と、周縁領域Ｒ３と、光透過領域Ｒ１との境界部に、著しい明暗コントラストが生じないようになる。これにより、表示装置１０の表示品質を向上することができる。また、図１１の実施例において、第１輝度向上フィルム１２１及び第２輝度向上フィルム１２２は、周縁領域Ｒ３内の第１微細構造１２１ａ及び第２微細構造１２２ａが第１丸角部を有するように設計すると、光透過領域Ｒ１と発光領域Ｒ２との境界部に著しい明暗コントラストを低減させることができる。集光効率が徐々に変化する構成に比べて、本実施の構造は、製造がより容易である。
【００５２】
図１２は、第１輝度向上フィルム１２１の第７具体的態様を示す断面図であり、その断面位置は図２のＢ−Ｂ’線である。本実施例において、周縁領域Ｒ３を通過する複数の第１微細構造１２１ａ’の第１丸角部の曲率半径は、第１方向Ｘにおいて周縁領域Ｒ３の外側から第２エッジＬ２’に向かって徐々に大きくなる。つまり、図１２の断面図から分かるように、周縁領域Ｒ３を通過する複数の第１微細構造１２１ａ’の第１丸角部の曲率半径は、境界Ｌ２’に向かって徐々に大きくなる。言い換えれば、発光領域Ｒ２に近い第１微細構造１２１ａ’の断面形状は、発光領域Ｒ２のみを通過する第１微細構造１２１ａの断面形状に近い形状となり、その第１丸角部の曲率半径が最小１μｍであってもよい。光透過領域Ｒ１に近い第１微細構造１２１ａ’の第１丸角部の曲率半径が、例えば最大２５μｍである。
【００５３】
さらに、図１２では、第１中央部分Ｃ１と第１側縁部分Ｂ１に接続される第１微細構造１２１ａの構成が示されている。図１２に示す実施例において、第１側縁部分Ｂ１に接続される第１微細構造１２１ａ’は、第２丸角部を有する第２ピークT２を有する。第１微細構造１２１ａ’は、第２丸角部の曲率半径は、第１方向Ｘにおいて第１中央部分Ｃ１に向かって徐々に小さくなる。同様に、同図において第２輝度向上フィルム１２２を示していないが、第２輝度向上フィルム１２２は、類似な構成を有してもよい。つまり、第２微細構造の第１丸角部の曲率半径は、第２方向において周縁領域の外側から第２エッジに向かって徐々に大きくなる。又は、第２側縁部分に接続される第２微細構造は、第２丸角部を有する複数の第２ピークが設けられている。第２微細構造の第２丸角部の曲率半径は、第２方向において第２中央部分に向かって徐々に小さくなる。ここで説明を省略する。このように、第１輝度向上フィルム１２１及び第２輝度向上フィルム１２２において、その第１丸角部及び第２丸角部の曲率半径が大きくなるにつれ、光の集光効率が低くなる。これにより、第１輝度向上フィルム１２１が境界Ｌ２’の両側、及び第２輝度向上フィルム１２２が境界Ｌ１’の両側の集光効率が互いに対称的に弱いから徐々に強くなることによって、ユーザは、バックライトモジュール１２０の光透過領域Ｒ１と発光領域Ｒ２との境界部に著しい明暗コントラストに気づきにくいか気づくことができない。
【００５４】
図１３は、第１輝度向上フィルム１２１の第８具体的態様を示す断面図であり、その断面位置は図２のＢ−Ｂ’線である。同図に示すように、周縁領域Ｒ３を通過する第１微細構造１２１ａ’は、第１丸角部を有する第１ピークＴ１を有する。また、周縁領域Ｒ３を通過する第１微細構造１２１ａ’は、互いに隣接配置されてもよい。周縁領域Ｒ３から第２エッジＬ２への方向において、第１丸角部を有する第１微細構造１２１ａ’の大きさが比例的に小さくなる。つまり、図１３に示す断面から分かるように、周縁領域Ｒ３を通過する第１微細構造１２１ａ’は、境界Ｌ２’に向かって徐々に小さくなる。
【００５５】
第１輝度向上フィルム１２１は、第１微細構造１２１ａ’が第１丸角部を有し、かつ第１微細構造１２１ａ’の大きさが小さいほど、集光効率が弱くなる。これにより、第１輝度向上フィルム１２１の周縁領域Ｒ３を通過する第１微細構造１２１ａ’の集光効率が弱くなる。同様に、第２輝度向上フィルム１２２は、類似な構成を有してもよい。つまり、第１丸角部を有する第２微細構造部の大きさは、第２方向において周縁領域の外側から光透過領域の第１エッジに向かって徐々に小さくなる。この点については説明を省略する。
【００５６】
さらに、図１３では、第１中央部分Ｃ１と第１側縁部分Ｂ１に接続される第１微細構造１２１ａ’の構成が示されている。図１３に示す実施例において、第１側縁部分Ｂ１に接続される第１微細構造１２１ａ’は、第２丸角部を有する複数の第２ピークT２を有する。第２丸角部を有する第１微細構造の大きさが、第１方向Ｘにおいて第１中央部分Ｃ１に向かって比例的に大きくなる。同様に、同図において第２輝度向上フィルム１２２は示されていないが、第２輝度向上フィルム１２２は、類似な構成を有してもよい。この点については説明を省略する。これにより、第１輝度向上フィルム１２１が境界Ｌ２’の両側、及び第２輝度向上フィルム１２２が境界Ｌ１’の両側の集光効率が互いに対称的に弱いから徐々に強くなることによって、ユーザは、バックライトモジュール１２０の光透過領域Ｒ１、周縁領域Ｒ３及び発光領域Ｒ２の境界部に著しい明暗コントラストに気づきにくいか気づくことができない。
【００５７】
上記開示されている実施例は、バックライトモジュール１２０において光透過領域Ｒ１、周縁領域Ｒ３及び発光領域Ｒ２の境界部に著しい明暗コントラストを除去するいくつかの具体例であり、本発明の表示装置１０は、これらに限定されない。例えば、図９及び図１０に示す離間配置の概念を、図１２及び図１３に示す丸角部の概念と組み合わせることにより、図１２及び図１３における第１微細構造１２１ａ’が第１ピークＴ１を有し、離間配置されるようになる。
【００５８】
他の例として、図１を参照する。いくつかの実施例において、表示装置１０は、制御ユニット１４０をさらに含んでもよい。制御ユニット１４０は、第１表示モードにおいて第１光源１２４をオンにして第２光源１２５をオフにし、第２表示モードにおいて第１光源１２４及び第２光源１２５をオンにするように制御する。ここで、第１表示モードは、上記実施例で説明した２次元表示モードであってもよいが、これに限定されない。第２表示モードは、上記実施例で説明した３次元表示モードであってもよいが、これに限定されない。例えば、第１表示モードは、上述した実施例の２次元（平面）表示モードである場合、スロットマシン（ｓｌｏｔ  ｍａｃｈｉｎｅ）の表示装置を例として、ポイントリストの表示画面又は当選時の演出であってもよい。第２表示モードは、上述した実施例の３次元（立体）表示モードである場合、例えば、スロットマシンのリールのスクロールを表示する。このように、制御ユニット１４０により第２光源１２５を選択的にオン又はオフにすることにより、上述した実施例の２次元又は３次元表示モードの効果を実現できる。また、実際の応用に応じて、制御ユニット１４０は、論理回路や複雑なプログラマブルロジックデバイス（Ｃｏｍｐｌｅｘ  Ｐｒｏｇｒａｍｍａｂｌｅ  Ｌｏｇｉｃ  Ｄｅｖｉｃｅ，ＣＰＬＤ）であってもよいが、これに限定されない。
【００５９】
また、図１４は、本発明の他の実施例に係る表示装置を示す分解斜視図である。同図に示すように、表示装置２０は、スイッチパネル１５０を含んでもよい。スイッチパネル１５０は、表示パネル１１０とリール１３０との間に配置されている。より詳細に、スイッチパネル１５０は、バックライトモジュール１２０と表示パネル１１０との間に配置されている。スイッチパネル１５０は、第１表示モードで回折状態に切り替えられることができる。例えば、スイッチパネル１５０は、２次元表示モード又はリール１３０を表示する必要がない場合、リール１３０を遮蔽するように回折状態に切り替えられる。表示装置２０は、リール１３０を表示する必要がある場合、スイッチパネル１５０が透明になることができる。一実施例において、スイッチパネル１５０は、ポリマー分散液晶層（Ｐｏｌｙｍｅｒ−Ｄｉｓｐｅｒｓｅｄ  Ｌｉｑｕｉｄ  Ｃｒｙｓｔａｌｓ，  ＰＤＬＣ）を含んでもよいが、これに限定されない。
【００６０】
同様に、図１５は、本発明の別の実施例に係る表示装置を示す分解斜視図である。表示装置３０のスイッチパネル３５０は、バックライトモジュール１２０の光透過領域Ｒ１とリール１３０との間に配置されてもよい。つまり、スイッチパネル３５０は、光透過領域Ｒ１に対向配置されてもよい。また、スイッチパネル３５０の大きさは、少なくとも光透過領域Ｒ１より大きければよく、表示パネル１１０に完全に対応する大きさを有するスイッチパネル３５０を使わなくてもよい。これにより、本発明は、表示装置３０の製造コストをさらに低減することができる。
【００６１】
なお、表示装置１０、表示装置２０及び表示装置３０は、周縁領域を通過し、第１エッジに接続されていない第１微細構造の集光効率が、発光領域のみを通過する第１微細構造の集光効率よりも小さい第１輝度向上フィルムの構成を採用すれば、「グレーゾーン」を低減することができる。また、集光効率が徐々に変化する構成を採用すれば、表示装置全体の表示品質を向上することができる。
【００６２】
以上、本発明の好適な実施例をあげ説明したが、本発明はこれらの実施例に限定されるものではない。当業者であれば、本発明の精神及び範囲を逸脱しない限り、多少の変動や潤色を加えることができる。従って、本発明の保護範囲は、特許請求の範囲の記載を基準とする。
【符号の説明】
【００６３】
１０、２０、３０  表示装置
１１０  表示パネル
１１０ａ、１２０ａ  表面
１２０  バックライトモジュール
１２１  第１輝度向上フィルム
１２１ａ、１２１ａ’  第１微細構造
１２２  第２輝度向上フィルム
１２２ａ  第２微細構造
１２３  導光板
１２４  第１光源
１２５  第２光源
１２６  反射板
１２７  拡散板
１３０  リール
１３１  図柄
１４０  制御ユニット
１５０、３５０  スイッチパネル
Ｒ１  光透過領域
Ｒ２  発光領域
Ｒ３  周縁領域
Ｌ１  第１エッジ
Ｌ１’、Ｌ２’  境界
Ｌ２  第２エッジ
Ｃ１  第１中央部分
Ｂ１  第１側縁部分
Ｃ２  第２中央部分
Ｂ２  第２側縁部分
Ｘ  第１方向
Ｙ  第２方向
Ｚ  第３方向
１ａ  稜線  稜線
２ａ  第１斜面  第１斜面
２ｂ  第２斜面  第２斜面
ｈ１  高さ  高度
Ｄ１  間隔
Ｐ１  ピッチ
Ｔ１  第１ピーク
Ｔ２  第２ピーク
【図１】
0005948468.tif 000002
【図２】
0005948468.tif 000003
【図３】
0005948468.tif 000004
【図４Ａ】
0005948468.tif 000005
【図４Ｂ】
0005948468.tif 000006
【図５】
0005948468.tif 000007
【図６】
0005948468.tif 000008
【図７】
0005948468.tif 000009
【図８】
0005948468.tif 000010
【図９】
0005948468.tif 000011
【図１０】
0005948468.tif 000012
【図１１】
0005948468.tif 000013
【図１２】
0005948468.tif 000014
【図１３】
0005948468.tif 000015
【図１４】
0005948468.tif 000016
【図１５】
0005948468.tif 000017